【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
画像形成部で形成した複数色のトナー画像を転写ベルトに重ね合わせて転写用カラー画像を形成し、この転写用カラー画像を転写媒体に転写する画像形成装置において、前記転写ベルト上に各色の色合わせ補正用の補正パターンを形成する補正パターン形成手段と、前記転写ベルト上に前記補正パターン形成手段で形成された補正パターンを検出する検知センサと、前記検知センサの出力値に基づいて、補正パターンの幅を制御する補正制御手段とを備えたことを特徴とする画像形成装置。
【請求項２】
前記検知センサは、正反射光受光素子を備えており、前記補正制御手段は、前記検知センサの正反射光受光素子による、補正パターン形成手段により形成された補正パターンに対する出力値に基づいて、補正パターンの幅を制御することを特徴とする請求項１記載の画像形成装置。
【請求項３】
前記検知センサは、さらに拡散反射光受光素子を備えており、前記補正制御手段は、前記検知センサの正反射光受光素子および拡散反射光受光素子による、補正パターン形成手段により形成された補正パターンに対する出力値に基づいて、補正パターンの幅を制御することを特徴とする請求項２記載の画像形成装置。
【請求項４】
前記補正制御手段は、前記検知センサの正反射光受光素子の正反射光成分に対する出力値が定められた閾値を満足し、かつ前記検知センサの拡散反射光受光素子の拡散反射光成分に対する出力値が定められた閾値を満足するパターン幅を生成可能であることを特徴とする請求項３記載の画像形成装置。
【請求項５】
前記補正パターン形成手段は、転写ベルト上の補正パターンの幅を順に大きくしながら生成し、前記補正制御手段は、前記検知センサの正反射光受光素子の正反射光成分に対する出力値が定められた閾値を満足し、かつ前記検知センサの拡散反射光受光素子の拡散反射光成分に対する出力値が定められた閾値を満足するパターン幅を色合わせ補正用のパターンの幅に適用することを特徴とする請求項４記載の画像形成装置。
【請求項６】
請求項３乃至５記載の画像形成装置であって、前記正反射光受光素子の正反射光成分を信号成分として検出し、前記拡散反射光成分をノイズ成分として検出することを特徴とする画像形成装置。
【請求項７】
請求項６記載の画像形成装置であって、前記補正パターン形成手段が、パターン幅が異なる複数の補正パターンを転写ベルト上に形成し、前記検知センサが検出する補正パターンの出力値である正反射光受光素子の正反射光成分および拡散反射光成分に対する出力値のノイズ成分が所定の閾値以下であるパターン幅を選択することを特徴とする画像形成装置。
【請求項８】
請求項６記載の画像形成装置であって、前記補正パターン形成手段が、パターン幅が異なる複数の補正パターンを転写ベルト上に形成し、前記検知センサが出力する補正パターンの出力値である正反射光受光素子の正反射光成分および拡散反射光成分に対する出力値の信号成分が所定の閾値以上であるパターン幅を選択することを特徴とする画像形成装置。
【請求項９】
請求項６記載の画像形成装置であって、前記補正パターン形成手段が、パターン幅が異なる複数の補正パターンを転写ベルト上に形成し、前記検知センサが出力する補正パターンの出力値である正反射光受光素子の正反射光成分および拡散反射光成分に対する出力値が所定の閾値以上で、かつ正反射光受光素子の正反射光成分および拡散反射光成分のノイズ成分が所定の閾値以下であるパターン幅を選択することを特徴とする画像形成装置。
【請求項１０】
請求項１乃至９に記載の画像形成装置であって、前記補正制御手段は、温度の変化に合わせて補正パターンの幅を定期的に制御することを特徴とする画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００４
【補正方法】変更
【補正の内容】
【０００４】
請求項１記載の発明では、画像形成部で形成した複数色のトナー画像を転写ベルトに重ね合わせて転写用カラー画像を形成し、この転写用カラー画像を転写媒体に転写する画像形成装置において、前記転写ベルト上に各色の色合わせ補正用の補正パターンを形成する補正パターン形成手段と、前記転写ベルト上に前記補正パターン形成手段で形成された補正パターンを検出する検知センサと、前記検知センサの出力値に基づいて、補正パターンの幅を制御する補正制御手段とを備えたことにより、前記第１の目的を達成する。
請求項２記載の発明では、請求項１記載の発明において、前記検知センサは、正反射光受光素子を備えており、前記補正制御手段は、前記検知センサの正反射光受光素子による、補正パターン形成手段により形成された補正パターンに対する出力値に基づいて、補正パターンの幅を制御することを特徴とする。
請求項３記載の発明では、請求項２記載の発明において、前記検知センサは、さらに拡散反射光受光素子を備えており、前記補正制御手段は、前記検知センサの正反射光受光素子および拡散反射光受光素子による、補正パターン形成手段により形成された補正パターンに対する出力値に基づいて、補正パターンの幅を制御することを特徴とする。
請求項４記載の発明では、請求項３記載の発明において、前記補正制御手段は、前記検知センサの正反射光受光素子の正反射光成分に対する出力値が定められた閾値を満足し、かつ前記検知センサの拡散反射光受光素子の拡散反射光成分に対する出力値が定められた閾値を満足するパターン幅を生成可能であることを特徴とする。
請求項５記載の発明では、請求項４記載の発明において、前記補正パターン形成手段は、転写ベルト上の補正パターンの幅を順に大きくしながら生成し、前記補正制御手段は、前記検知センサの正反射光受光素子の正反射光成分に対する出力値が定められた閾値を満足し、かつ前記検知センサの拡散反射光受光素子の拡散反射光成分に対する出力値が定められた閾値を満足するパターン幅を色合わせ補正用のパターンの幅に適用することを特徴とする。
請求項６記載の発明では、請求項３乃至５記載の画像形成装置であって、前記正反射光受光素子の正反射光成分を信号成分として検出し、前記拡散反射光成分をノイズ成分として検出することを特徴とする。
請求項７記載の発明では、請求項６記載の画像形成装置であって、前記補正パターン形成手段が、パターン幅が異なる複数の補正パターンを転写ベルト上に形成し、前記検知センサが検出する補正パターンの出力値である正反射光受光素子の正反射光成分および拡散反射光成分に対する出力値のノイズ成分が所定の閾値以下であるパターン幅を選択することを特徴とする。
請求項８記載の発明では、請求項６記載の画像形成装置であって、前記補正パターン形成手段が、パターン幅が異なる複数の補正パターンを転写ベルト上に形成し、前記検知センサが出力する補正パターンの出力値である正反射光受光素子の正反射光成分および拡散反射光成分に対する出力値の信号成分が所定の閾値以上であるパターン幅を選択することを特徴とする。
請求項９記載の発明では、請求項６記載の画像形成装置であって、前記補正パターン形成手段が、パターン幅が異なる複数の補正パターンを転写ベルト上に形成し、前記検知センサが出力する補正パターンの出力値である正反射光受光素子の正反射光成分および拡散反射光成分に対する出力値が所定の閾値以上で、かつ正反射光受光素子の正反射光成分および拡散反射光成分のノイズ成分が所定の閾値以下であるパターン幅を選択することを特徴とする。
請求項１０記載の発明では、請求項１乃至９に記載の画像形成装置であって、前記補正制御手段は、温度の変化に合わせて補正パターンの幅を定期的に制御することを特徴とする。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
請求項１から請求項５記載の画像形成装置では、色合わせ補正パターンを制御することで、色合わせの精度を向上させることができる。
請求項６から請求項１０記載の画像形成装置では、正反射光受光素子に対する出力値を制御することで、色合わせの精度を向上させることができる。